(57)【特許請求の範囲】
【請求項１】
携帯端末装置において、
表示部と、
取得操作以外の所定の設定条件に基づいて、配信サーバ上の動画コンテンツを取得する取得部と、
取得された前記動画コンテンツを記憶する記憶部と、
前記記憶部から前記動画コンテンツを読み出して前記表示部で再生する表示制御部と、
前記配信サーバから動画コンテンツが取得されて前記記憶部に記憶される際、前記記憶部の空き容量に基づいて、前記記憶部に記憶されている動画コンテンツを削除する削除部と、を備え、
前記表示制御部は、前記削除部により削除された動画コンテンツの履歴の一覧を前記表示部に表示し、
前記取得部は、前記履歴の一覧の何れかの動画コンテンツに対して再生操作がなされると、当該再生操作がなされた動画コンテンツを前記配信サーバから取得し、
前記表示制御部は、前記再生操作により前記取得部が取得した動画コンテンツを前記表示部に表示する、
ことを特徴とする携帯端末装置。
【請求項２】
請求項１に記載の携帯端末装置において、
前記取得部は、前記設定条件に基づいて配信サーバ上の動画コンテンツの中から、予め登録されたグループの動画コンテンツを取得する、
ことを特徴とする携帯端末装置。
【請求項３】
請求項２に記載の携帯端末装置において、
前記グループを登録する登録部を備え、
前記取得部は、予め設定されたタイミングで、前記配信サーバから前記登録部に登録されたグループの動画コンテンツを取得する、
ことを特徴とする携帯端末装置。
【請求項４】
請求項２に記載の携帯端末装置において、
前記取得部は、前記グループに属する新規な動画コンテンツが前記配信サーバ上に配さ
れたこと示す情報を受け取ると、前記配信サーバから当該新規な動画コンテンツを取得する、
ことを特徴とする携帯端末装置。
【請求項５】
請求項１ないし４の何れか一項に記載の携帯端末装置において、
前記表示制御部は、前記記憶部に記憶された動画コンテンツの再生操作を行うための操作画面を前記表示部に表示し、
前記操作画面は、前記記憶部に記憶された動画コンテンツの一覧を表する画面領域および前記履歴の一覧を表示する画面領域を含む、
ことを特徴とする携帯端末装置。
【請求項６】
請求項１に記載の携帯端末装置において、
前記表示部は、第１の表示部および第２の表示部を含み、
前記第１の表示部および前記第２の表示部のうち一方のみが外部に露出する第１の状態と前記第１の表示部および前記第２の表示部の両方が外部に露出する第２の状態に切り替えるための切り替え部をさらに備え、
前記表示制御部は、前記第１の状態において、前記記憶部に記憶されている動画コンテンツが掲載されたウェブサイトが、露出した一方の表示部に表示されているときに、前記第２の状態に切り替えられると、前記一方の表示部には当該ウェブサイトを表示し、当該ウェブサイトに対応して前記記憶部に記憶された動画コンテンツの再生操作を行うための操作画面を、切り替え後に露出した他方の表示部に表示する、
ことを特徴とする携帯端末装置。
【請求項７】
携帯端末装置において、
表示部と、
取得操作以外の所定の設定条件に基づいて、配信サーバ上の動画コンテンツを取得する取得部と、
取得された前記動画コンテンツを記憶する記憶部と、
前記記憶部から前記動画コンテンツを読み出して前記表示部で再生する表示制御部と、を備え、
前記表示部は、第１の表示部および第２の表示部を含み、
前記第１の表示部および前記第２の表示部のうち一方のみが外部に露出する第１の状態と前記第１の表示部および前記第２の表示部の両方が外部に露出する第２の状態に切り替えるための切り替え部をさらに備え、
前記表示制御部は、前記第１の状態において、前記記憶部に記憶されている動画コンテンツが掲載されたウェブサイトが、露出した一方の表示部に表示されているときに、前記第２の状態に切り替えられると、前記一方の表示部には当該ウェブサイトを表示し、当該ウェブサイトに対応して前記記憶部に記憶された動画コンテンツの再生操作を行うための操作画面を、切り替え後に露出した他方の表示部に表示する、
ことを特徴とする携帯端末装置。
【請求項８】
請求項６または７に記載の携帯端末装置において、
前記表示制御部は、前記他方の表示部に表示された前記操作画面で前記動画コンテンツの再生操作がなされると、当該動画コンテンツを前記一方の表示部で再生する、
ことを特徴とする携帯端末装置。
【請求項９】
請求項１ないし８の何れか一項に記載の携帯端末装置において、
前記記憶部から前記動画コンテンツを読み出して前記表示部に再生した状態で、前記配信サーバから他の動画コンテンツを取得するための指示を受け付ける受付処理部をさらに備える、
ことを特徴とする携帯端末装置。
【請求項１０】
携帯端末装置のコンピュータに、
取得操作以外の所定の設定条件に基づいて、配信サーバ上の動画コンテンツを取得する機能と、
取得された前記動画コンテンツを記憶部に記憶する機能と、
前記記憶部から前記動画コンテンツを読み出して表示部で再生する機能と、
前記配信サーバから動画コンテンツが取得されて前記記憶部に記憶される際、前記記憶部の空き容量に基づいて、前記記憶部に記憶されている動画コンテンツを削除する機能と、
削除された動画コンテンツの履歴の一覧を前記表示部に表示する機能と、
前記履歴の一覧の何れかの動画コンテンツに対して再生操作がなされると、当該再生操作がなされた動画コンテンツを前記配信サーバから取得する機能と、
前記再生操作により取得された動画コンテンツを前記表示部に表示する機能と、を付与する、
ことを特徴とするプログラム。
【発明の詳細な説明】
【技術分野】
【０００１】
本発明は、携帯電話機やＰＤＡ（Personal Digital Assistant）等の携帯端末装置に関するものである。
【背景技術】
【０００２】
近年、携帯電話機やＰＤＡ等の携帯端末装置では、インターネットに接続することで各種ウェブサイトを閲覧することができる。また、ウェブサイトの中には、様々な動画コンテンツ（以下、単に「動画」という）を提供可能なサイトもあり、ユーザは、動画をダウンロードして携帯端末装置で再生することができる（たとえば、特許文献１）。
【０００３】
多くのウェブサイトでは、データをダウンロードしながら順次再生を行う転送・再生方式が採られており、全てのデータをダウンロードする前に動画の再生が開始される。この方式では、通信回線の乱れなどが生じても、再生が停止してしまわないよう、予め一定量のデータが携帯端末装置のメモリにバッファリングされ、メモリからデータが読み出されて再生される。
【先行技術文献】
【特許文献】
【０００４】
【特許文献１】特開２００３−１５２５４６号公報
【発明の概要】
【発明が解決しようとする課題】
【０００５】
ウェブサイトには、順次、新規な動画が追加される。たとえば、ウェブサイト上では、提供可能な動画が複数のグループに分類されており、ユーザが予め所望のグループを登録しておけば、そのグループに新規な動画が追加されると、ウェブサイト側に用意された、動画の更新を示す更新情報（たとえば、ＲＳＳフィールド）が更新されるとともに、ウェブサイトから新規な動画の追加を知らせる電子メールが送られてくる。
【０００６】
ユーザは、新規な動画が追加されたことを知ると、そのウェブサイトに接続し、登録されたグループから新規な動画を探して再生操作を行う。
【０００７】
しかしながら、上記のような転送・再生方式の場合であっても、一定量のデータがバッファリングされるまでは動画が再生されないため、この間、ユーザは、視聴を待たなければならない。特に、最近では、動画のＨＤ（High Definition：高精細度）化が進んでおり、再生開始までのバッファリング時間は長くなる傾向にある。このため、ユーザは新規な動画をすぐに視聴できず、ストレスを感じやすくなる。
【０００８】
本発明は、このような課題に鑑みてなされたものであり、ウェブサイト上で提供可能な動画コンテンツをすぐに視聴することができ、ユーザのストレスを軽減できる携帯端末装置を提供することを目的とする。
【課題を解決するための手段】
【０００９】
本発明の携帯端末装置は、表示部と、取得操作以外の所定の設定条件に基づいて、配信サーバ上の動画コンテンツを取得する取得部と、取得された前記動画コンテンツを記憶する記憶部と、前記記憶部から前記動画コンテンツを読み出して前記表示部で再生する表示制御部とを備える。さらに、携帯端末装置は、前記配信サーバから動画コンテンツが取得されて前記記憶部に記憶される際、前記記憶部の空き容量に基づいて、前記記憶部に記憶されている動画コンテンツを削除する削除部を備える。ここで、前記表示制御部は、前記削除部により削除された動画コンテンツの履歴の一覧を前記表示部に表示する。また、前記取得部は、前記履歴の一覧の何れかの動画コンテンツに対して再生操作がなされると、当該再生操作がなされた動画コンテンツを前記配信サーバから取得する。さらに、前記表示制御部は、前記再生操作により前記取得部が取得した動画コンテンツを前記表示部に表示する。
また、本発明のプログラムは、携帯端末装置のコンピュータに、取得操作以外の所定の設定条件に基づいて、配信サーバ上の動画コンテンツを取得する機能と、
取得された前記動画コンテンツを記憶部に記憶する機能と、前記記憶部から前記動画コンテンツを読み出して表示部で再生する機能と、前記配信サーバから動画コンテンツが取得されて前記記憶部に記憶される際、前記記憶部の空き容量に基づいて、前記記憶部に記憶されている動画コンテンツを削除する機能と、削除された動画コンテンツの履歴の一覧を前記表示部に表示する機能と、前記履歴の一覧の何れかの動画コンテンツに対して再生操作がなされると、当該再生操作がなされた動画コンテンツを前記配信サーバから取得する機能と、前記再生操作により取得された動画コンテンツを前記表示部に表示する機能と、を付与する。
【００１０】
本発明の携帯端末装置よれば、ユーザがウェブサイト上で動画コンテンツの取得操作をしなくても、所望の動画コンテンツが取得され記憶部に記憶される。この場合、ユーザが、再生操作を行うと、その動画コンテンツが記憶部から読み出されて、すぐに再生される。したがって、ユーザは、所望の動画コンテンツをすぐに視聴することができる。
また、記憶容量の関係により、記憶部に記憶されていた動画コンテンツ、たとえば、未再生のままの動画コンテンツが消去されても、ユーザは、履歴の一覧を見ることで、削除された動画コンテンツを把握できる。さらに、ユーザが履歴の一覧に対して再生操作を行うことで、削除された動画コンテンツを配信サーバから再び取得して再生できる。
【００１１】
本発明の携帯端末装置において、前記取得部は、前記設定条件に基づいて配信サーバ上の動画コンテンツの中から、予め登録されたグループの動画コンテンツを取得するような構成とされ得る。
【００１２】
このような構成とすれば、好みのグループを登録しておくことで、登録されたグループの動画コンテンツだけが取得されるので、ユーザは、好みの動画コンテンツを容易に選んで、すぐに視聴することができる。
【００１３】
本発明の携帯端末装置は、前記グループを登録する登録部を備えるような構成とされ得る。この場合、前記取得部は、予め設定されたタイミングで、前記配信サーバから前記登録部に登録されたグループの動画コンテンツを取得する。
【００１４】
このような構成とすれば、定期的に新規な動画を取得することができる。
【００１５】
本発明の携帯端末装置において、前記取得部は、前記グループに属する新規な動画コンテンツが前記配信サーバ上に配されたこと示す情報を受け取ると、前記配信サーバから当該新規な動画コンテンツを取得するような構成とされ得る。
【００１６】
このような構成とすれば、配信サーバに新規な動画コンテンツが配されれば、その動画コンテンツを取得することができる。
【００１７】
本発明の携帯端末装置において、前記表示制御部は、前記記憶部に記憶された動画コンテンツの再生操作を行うための操作画面を前記表示部に表示するような構成とされ得る。この場合、前記操作画面は、前記記憶部に記憶された動画コンテンツの一覧を表する画面領域および前記履歴の一覧を表示する画面領域を含むような構成とされ得る。
【００１８】
このような構成とすれば、記憶部に記憶された動画コンテンツおよび削除された動画コンテンツを、操作画面を用いて再生することができる。
【００１９】
本発明の携帯端末装置において、前記表示部は、第１の表示部および第２の表示部を含むような構成とされ得る。この場合、携帯端末装置は、前記第１の表示部および前記第２の表示部のうち一方のみが外部に露出する第１の状態と前記第１の表示部および前記第２の表示部の両方が外部に露出する第２の状態に切り替えるための切り替え部をさらに備え
る構成とされ得る。さらに、前記表示制御部は、前記第１の状態において、前記記憶部に記憶されている動画コンテンツが掲載されたウェブサイトが、露出した一方の表示部に表示されているときに、前記第２の状態に切り替えられると、前記一方の表示部には当該ウェブサイトを表示し、当該ウェブサイトに対応して前記記憶部に記憶された動画コンテンツの再生操作を行うための操作画面を、切り替え後に露出した他方の表示部に表示するよう構成され得る。
【００２１】
また、本発明の携帯端末装置は、表示部と、取得操作以外の所定の設定条件に基づいて、配信サーバ上の動画コンテンツを取得する取得部と、取得された前記動画コンテンツを記憶する記憶部と、前記記憶部から前記動画コンテンツを読み出して前記表示部で再生する表示制御部と、を備える。ここで、前記表示部は、第１の表示部および第２の表示部を含む。携帯端末装置は、前記第１の表示部および前記第２の表示部のうち一方のみが外部に露出する第１の状態と前記第１の表示部および前記第２の表示部の両方が外部に露出する第２の状態に切り替えるための切り替え部をさらに備える。前記表示制御部は、前記第１の状態において、前記記憶部に記憶されている動画コンテンツが掲載されたウェブサイトが、露出した一方の表示部に表示されているときに、前記第２の状態に切り替えられると、前記一方の表示部には当該ウェブサイトを表示し、当該ウェブサイトに対応して前記記憶部に記憶された動画コンテンツの再生操作を行うための操作画面を、切り替え後に露出した他方の表示部に表示する。
【００２２】
これらの構成とすれば、ユーザは、掲載元のウェブサイトの動画コンテンツを閲覧しつつ、動画コンテンツの再生操作を行うことができる。
さらに、ユーザは、第１の状態でウェブサイトが表示されている状態で、第２の状態に切り替えるだけで、当該ウェブサイトから取得済みの動画コンテンツを再生するための操作画面を表示することができ、ユーザの利便性を高めることができる。
【００２３】
本発明の携帯端末装置において、前記表示制御部は、前記他方の表示部に表示された前記操作画面で前記動画コンテンツの再生操作がなされると、当該動画コンテンツを前記一方の表示部で再生するような構成とされ得る。
【００２４】
このような構成とすれば、ユーザは、操作画面を残した状態で動画コンテンツの再生を行うことができるので、次の再生操作を円滑に行うことができる。
【００２７】
本発明の携帯端末装置において、前記記憶部から前記動画コンテンツを読み出して前記表示部に再生した状態で、前記配信サーバから他の動画コンテンツを取得するための指示を受け付ける受付処理部をさらに備える構成とされ得る。
【００２８】
このような構成とすれば、ユーザは、動画コンテンツを再生している間に、所望の動画コンテンツを配信サーバから取得して記憶部に記憶させておくことができる。これにより、その動画コンテンツを視聴するときには、すぐに再生が可能となる。
【発明の効果】
【００２９】
本発明によれば、ウェブサイト上で提供可能な動画コンテンツをすぐに視聴することができ、ユーザのストレスを軽減できる携帯端末装置を提供するができる。
【００３０】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【図面の簡単な説明】
【００３１】
【図１】実施の形態に係る携帯電話機の外観構成を示す図である。
【図２】実施の形態に係る第２キャビネットが閉じた状態から開いた状態へ切替えるための切替え操作について説明するための図である。
【図３】実施の形態に係る携帯電話機の全体構成を示すブロック図である。
【図４】実施の形態に係る第２キャビネットが閉じた状態において、第１ディスプレイに表示される初期画面の表示例を示す図である。
【図５】実施の形態に係る自動バッファリング機能を設定するための設定画面を示す図である。
【図６】実施の形態に係る新規な動画をバッファリングするための制御動作を示す処理フローである。
【図７】実施の形態に係る動画データ、関連データおよび履歴データのバッファリング形態について説明するための図である。
【図８】実施の形態に係るバッファリングされた新規な動画を再生するための制御動作を示す処理フローである。
【図９】実施の形態に係る操作画面を表示するための制御動作に基づく第１ディスプレイおよび第２ディスプレイの画面表示例を示す図である。
【図１０】実施の形態に係る動画を再生するための制御動作に基づく第１ディスプレイおよび第２ディスプレイの画面表示例を示す図である。
【図１１】実施の形態に係る追加バッファリング機能についての制御動作を示す処理フローである。
【図１２】実施の形態に係る追加バッファリングを行うための制御動作に基づく第１ディスプレイおよび第２ディスプレイの画面表示例を示す図である。
【図１３】変更例に係る自動バッファリング機能を設定するための設定画面を示す図である。
【図１４】変更例に係る新規な動画をバッファリングするための制御動作を示す処理フローである。
【発明を実施するための形態】
【００３２】
以下、本発明の実施の形態について、図面を参照して説明する。
【００３３】
図１は、携帯電話機の構成を示す図（分解斜視図）である。携帯電話機は、第１キャビネット１と、第２キャビネット２と、これら第１、第２キャビネット１、２を保持する保持体３とで構成されている。
【００３４】
第１キャビネット１は、横長の直方体形状を有する。第１キャビネット１には、第１ディスプレイ１１が配されており、そのディスプレイ面が、第１キャビネット１の正面に臨んでいる。第１ディスプレイ１１は、後述のように第１液晶パネル１１ａと第１液晶パネル１１ａを照明する第１バックライト１１ｂとで構成されている。
【００３５】
第１ディスプレイ１１の前面には、第１タッチパネル１２が配されている。第１タッチパネル１２は透明なシート状を有しており、第１タッチパネル１２を透してディスプレイ１１に表示される表示画面を見ることができる。
【００３６】
第１タッチパネル１２は、マトリクス状に配された第１透明電極と第２透明電極とを備えている。第１タッチパネル１２は、これら透明電極間の静電容量の変化を検出することによって、ユーザに触られたディスプレイ面上の位置を検出し、その位置に応じた位置信号を出力する。
【００３７】
第１キャビネット１の内部には、中央やや後ろ位置にカメラモジュール１３が配されている。このカメラモジュール１３における被写体像を取り込むためのレンズ窓（図示せず）が、第１キャビネット１の下面に設けられている。第１キャビネット１の内部には、また、前面近傍の中央位置に磁石１４が配されており、右前角部に磁石１５が配されている。さらに、上キャビネット１の右側面および左側面には、それぞれ、突起部１６、１７が設けられている。
【００３８】
第２キャビネット２は、横長の直方体形状を有する。すなわち、第２キャビネット２は、第１キャビネット１とほぼ同じ形状と大きさを有する。第２キャビネット２には、第２ディスプレイ２１が配されており、そのディスプレイ面が、第２キャビネット２の正面に臨んでいる。第２ディスプレイ２１は、後述のように第２液晶パネル２１ａと第２液晶パネル２１ａを照明する第２バックライト２１ｂとで構成されている。なお、第１ディスプレイ１１および第２ディスプレイ２１は、有機ＥＬ等他の表示素子により構成されてもよい。
【００３９】
第２ディスプレイ２１の前面には、第２タッチパネル２２が配されている。第２タッチパネル２２の構成は、第１タッチパネル１２と同様である。
【００４０】
第２キャビネット２の内部には、後面近傍の中央位置に磁石２３が配されている。
この磁石２３と第１キャビネット１の磁石１４とは、後述の如く大画面を構成する位置に第１キャビネット１と第２キャビネット２が位置づけられた状態（開状態）にあるときに、互いに引き合うよう構成されている。なお、第１キャビネット１および第２キャビネット２において、一方の磁石の磁力が十分大きければ、他方の磁石を磁性体に代えてもよい。
【００４１】
第２キャビネット２内部において、右前角部には閉鎖センサ２４が配されており、右後角部には開放センサ２５が配されている。これらセンサ２４、２５は、たとえば、ホールＩＣなどで構成され、磁石の磁力に反応して検出信号を出力する。後述するように、第１キャビネット１と第２キャビネット２とが重なった状態になると、第１キャビネット１の磁石１５が、閉鎖センサ２４に接近するので、閉鎖センサ２４からＯＮ信号が出力される。一方、第１キャビネット１と第２キャビネット２とが前後に並んだ状態になると、第１キャビネット１の磁石１５が、開放センサ２５に接近するので、開放センサ２５からＯＮ信号が出力される。
【００４２】
さらに、第２キャビネット２の右側面には２つの軸部２６が設けられており、左側面には２つの軸部２７が設けられている。
【００４３】
保持体３は、底板部３１と、底板部３１の右端部に形成された右保持部３２と、底板部３１の左端部に形成された左保持部３３とで構成されている。底板部３１、右保持部３２および左保持部３３に囲まれた収容領域Ｒに、第１キャビネット１および第２キャビネット２が上下に重なった状態で収容される。
【００４４】
底板部３１には、３つのコイルバネ３４が左右方向に並ぶように配されている。これらコイルバネ３４は、第２キャビネット２が保持体３に取り付けられた状態において、第２キャビネット２の下面に当接し、第２キャビネット２に対して上方に押し上げる力を付与する。
【００４５】
右保持部３２の上面にはマイク３５および電源キー３６が配されている。また、右保持部３２の外側面には、操作キー群３７が配されている。操作キー群３７は、たとえば、３つの操作キー３７ａ、３７ｂ、３７ｃからなる。マナーモードの設定など、一定の機能については、これら操作キーを操作することにより、タッチパネル１２、２２を操作することなく実行される。左保持部３３の上面には、通話スピーカ３８が配されている。ユーザは、左保持部３３側が耳元に、右保持部３２側が口元にくるように携帯電話機を持って、通話を行う。
【００４６】
右保持部３２および左保持部３３の内側面には、案内溝３９（左保持部３３側のみ図示）が形成されている。案内溝３９は、前後方向に延びる上溝３９ａおよび下溝３９ｂと、溝の前側に形成され、上溝３９ａと下溝３９ｂとに繋がるよう上下に延びる２つの縦溝３９ｃとで構成されている。
【００４７】
携帯電話機をアセンブルする際には、軸部２６、２７をガイド溝３９の下溝３９ｂに挿入するようにして、第２キャビネット２を保持体３の収容領域Ｒ内に配置し、さらに、突起部１６、１７をガイド溝３９の上溝３９ａに挿入するようにして、第１キャビネット１を保持体３の収容領域Ｒ内であって第２キャビネット２の上に配置する。
【００４８】
こうして、第１キャビネット１は、上溝３９ａに案内されて前後にスライド可能となる。また、第２キャビネット２は、下溝３９ｂに案内されて前後にスライド可能となる。また、第２キャビネット２が前方に移動し、軸部２６、２７が縦溝３９ｃまでくると、第２キャビネット２は、縦溝３９ｃに案内されて上下にスライド可能となる。
【００４９】
図２は、第２キャビネット２が閉じた状態から開いた状態へ切替えるための操作について説明するための図である。
【００５０】
初期の状態においては、同図（ａ）に示すように、第２キャビネット２が第１キャビネット１の背後に隠れた状態となっている。この状態（閉状態）においては、第１ディスプレイ１１のみが外部に露出している。切替えの操作は、ユーザによって手動で行われる。
【００５１】
まず、ユーザは、同図（ｂ）に示すように、第１キャビネット１を後方（矢印の方向）に移動させる。次に、第１キャビネット１の後方への移動が完了すると、同図（ｃ）に示すように、第２キャビネット２を前方へ引き出す。この引出し操作によって、第２キャビネット２が第１キャビネット１に完全に重ならない位置、すなわち第１キャビネット１の前に並ぶ位置まで移動すると、上述のように、軸部２６、２７が縦溝３９ｃにくるので、第２キャビネット２はコイルバネ３３に押されて上昇する。このとき、磁石１４と磁石２３とが引き合うことによって、さらに大きな上昇力が働く。こうして、第２キャビネット２が完全に開いた状態（開状態）になると、同図（ｄ）に示すように、第１キャビネット１と第２キャビネット２とが、前後に密着するように、且つ面一となるように並ぶ。第１ディスプレイ１１と第２ディスプレイ２１の双方が外部に露出し、２つの画面が一体化された大画面の状態となる。
【００５２】
図３は、携帯電話機の全体構成を示すブロック図である。本実施の形態の携帯電話機は、上述した各構成要素の他、ＣＰＵ１００、メモリ部２００、映像エンコーダ３０１、音声エンコーダ３０２、ＧＰＳモジュール３０３、キー入力回路３０３、時計回路３０４、通信モジュール３０５、バックライト駆動回路３０６、映像デコーダ３０７、音声デコーダ３０８、外部スピーカ３０９、電源部３１０を備えている。
【００５３】
カメラモジュール１３はＣＣＤ等の撮像素子を有する。カメラモジュール１３は、撮像素子から出力された撮像信号をデジタル化し、その撮像信号にガンマ補正等の各種補正を施して映像エンコーダ３０１へ出力する。映像エンコーダ３０１は、カメラモジュール１３からの撮像信号にエンコード処理を施してＣＰＵ１００へ出力する。
【００５４】
マイク３５は、集音した音声を音声信号に変換して音声エンコーダ３０２へ出力する。音声エンコーダ３０２は、マイク３５からのアナログの音声信号をデジタルの音声信号に変換するとともに、デジタルの音声信号にエンコード処理を施してＣＰＵ１００へ出力する。
【００５５】
キー入力回路３０３は、電源キー３６や操作キー群３７の各キーが操作されたときに、各キーに応じた入力信号をＣＰＵ１００へ出力する。時計回路３０４は、時刻を計測してＣＰＵ１００へ出力する。ＣＰＵ１００は、時計回路３０４による計時結果から日時を把握する。
【００５６】
通信モジュール３０５は、ＣＰＵ１００からの音声信号や画像信号、テキスト信号などの送信データを無線信号に変換し、アンテナ３０５ａを介して基地局へ送信する。また、アンテナ３０５ａを介して受信した無線信号を音声信号や画像信号、テキスト信号などの受信データに変換してＣＰＵ１００へ出力する。
【００５７】
バックライト駆動回路３０６は、ＣＰＵ１００からの制御信号に応じた電圧信号を第１バックライト１１ｂおよび第２バックライト２１ｂに供給する。第１バックライト１１ｂは、バックライト駆動回路３０６からの電圧信号により点灯し、第１液晶パネル１１ａを照明する。第２バックライト２１ｂは、バックライト駆動回路３０６からの電圧信号により点灯し、第２液晶パネル２１ａを照明する。
【００５８】
なお、第２バックライト２１ｂは閉状態から開き始めると点灯してもよいし、開状態になったとき、あるいは開状態になる前（たとえば、図２（ｃ）の状態）に点灯してもよい。
【００５９】
映像デコーダ３０７は、ＣＰＵ１００からの映像信号を第１液晶パネル１１ａおよび第２液晶パネル２１ａで表示できるアナログ若しくはデジタルの映像信号に変換し、これら液晶パネル１１ａ、２１ａに出力する。第１液晶パネル１１ａおよび第２液晶パネル２１ａは、映像信号に応じた画像（表示画面）を各ディスプレイ面上に表示する。
【００６０】
音声デコーダ３０８は、ＣＰＵ１００からの音声信号にデコード処理を施し、さらにアナログの音声信号に変換して通話スピーカ３８に出力する。また、音声デコーダ３０８は、ＣＰＵ１００からの着信音、アラーム音等の各種報知音の音信号にデコード処理を施し、さらにアナログの音信号に変換して外部スピーカ３０９へ出力する。通話スピーカ３８は、音声デコーダ３０８からの音声信号を音声として再生する。外部スピーカ３０９は、音声デコーダ３０８からの着信音等を再生する。
【００６１】
バッテリー３１０は、ＣＰＵ１００やＣＰＵ１００以外の各部へ電力を供給するためのものであり、二次電池からなる。バッテリー３１０は電源部３１１に接続されている。
【００６２】
電源部３１１は、バッテリー３１０の電圧を各部に必要な大きさの電圧に変換して各部へ供給する。また、電源部３１１は、外部電源の入力部（図示せず）を介して供給された電力をバッテリー３１０へ供給して、バッテリー３１０を充電する。
【００６３】
メモリ部２００は、ＲＯＭおよびＲＡＭを含む。メモリ部２００には、ＣＰＵ１００に制御機能を付与するための制御プログラムが記憶されている。制御部プログラムには、ＣＰＵ１００がウェブブラウザとして機能するためのプログラムやＣＰＵ１００が動画を再生するプレーヤーとして機能するためのプログラムが含まれる。
【００６４】
また、メモリ部２００には、カメラモジュール１３で撮影した画像データや通信モジュール３０４を介して外部から取り込んだ画像データ、テキストデータ（メールデータ）などが所定のファイル形式で保存される。
【００６５】
さらに、メモリ部２００は、後述する自動バッファリング機能により取得された動画データを記憶する動画メモリ２０１を含む。
【００６６】
ＣＰＵ１００は、キー入力回路３０３およびタッチパネル１２、２２からの操作入力信号に基づき、制御プログラムに従って、カメラモジュール１３、マイク３５、通信モジュール３０５、液晶パネル１１ａ、２１ａ、通話スピーカ３８、外部スピーカ３１０等を動作させる。これにより、通話機能、電子メール機能等の各種機能（アプリケーション）を実行する。
【００６７】
また、ＣＰＵ１００は、メモリ２００内に用意されたワークエリア内で、各ディスプレイ１１、２１に表示する表示画面を生成し、表示画面を構成するための映像信号を出力する。
【００６８】
＜携帯電話機の機能＞
本実施の形態に係る携帯電話機は、インターネット上のウェブサイトにアクセスするためのウェブブラウザ機能を備えている。ユーザは、ウェブブラウザを起動することで、所望のウェブサイトにアクセスできる。動画を提供可能なウェブサイトに接続して動画の視聴操作を行うと、配信サーバから携帯電話機に動画データが配信される。この配信は、通常、動画データをダウンロードしながら順次再生を行う転送・再生方式により行われる。
【００６９】
ウェブサイトによっては、動画データとともに、動画データに基づく動画を視聴するための情報（以下、「関連データ」という）が配信され、これらの情報は、携帯電話機側でバッファリング可能となっている。以下では、このようなウェブサイトに接続する場合を例に挙げて、本実施の形態に係る携帯電話機の機能について説明する。
【００７０】
図４は、第２キャビネット２が閉じた状態において、第１ディスプレイ１１に表示される初期画面の表示例を示す図である。
【００７１】
第２キャビネット２が閉じた状態において、たとえば、第１ディスプレイ１１には、初期画面としてメニュー画面が表示される。メニュー画面には、たとえば、同図に示すように、各種のアプリケーションを実行するためのアイコンＭ１が表示されている。アプリケーションは、あらかじめ登録されているアプリケーション以外にも、インターネットを通じたダウンロード等により入手可能であり、入手されたアプリケーションは、インストールにより携帯電話機に追加される。
【００７２】
ユーザは、第１ディスプレイ１１に表示された所望のアイコンを指などでタッチすることにより、所望のアプリケーションを実行することができる。
【００７３】
第１ディスプレイ１１には、さらに、受信状態を示すアンテナマークＭ２およびバッテリーの残量を示す残量マークＭ３が表示されている。ユーザは、アンテナマークＭ２により受信状態を確認でき、残量マークＭ３によりバッテリーの残量を確認することができる。また、第１ディスプレイ１１には、後述の自動バッファリング機能による動画データのバッファリングが完了すると、バッファリング完了マークＭ４が表示される。
【００７４】
さて、上記初期画面に表示されるアイコンＭ１には、インターネットに接続するためのアイコンＭ１が含まれている。このアイコンＭ１が操作されると、ウェブブラウザに初期接続先として設定されたウェブサイトに接続される。また、初期画面のアイコンＭ１には、音楽や動画を配信する特定のウェブサイトに直接接続するためのアイコンＭ１が含まれている。
【００７５】
たとえば、ユーザが、動画を配信する特定のウェブサイト（以下、「動画配信サイト」という）に接続するアイコンＭ１を操作すると、その動画配信サイトに接続される。ユーザは、この動画配信サイトから所望の動画を選んで視聴することができる。
【００７６】
本実施の形態の携帯電話機は、ユーザが予め登録した動画配信サイトに新規な動画が追加されると、その動画データを自動的に取得してバッファリングしておく自動バッファリング機能を備えている。
【００７７】
図５は、自動バッファリング機能を設定するための設定画面を示す図である。ユーザにより設定画面を開く操作がなされると、第１ディスプレイ１１に、同図（ａ）に示すような、自動バッファリング機能を実行するか否かを選択する画面が表示される。この画面では、「する」、「しない」の項目の横に丸いチェックボックスが表示され、たとえば、希望する項目のチェックボックスをタッチすると、ボックス内に黒丸が表示される。
【００７８】
図５（ａ）の画面からユーザが「する」の項目を選択し、設定キーＭ５を押すと、次に、第１ディスプレイ１１に、図５（ｂ）に示すような、電子メールアドレスを入力するための画面が表示される。この画面において、ユーザは、第２ディスプレイ２１に表示されたＱＷＥＲＴＹキーＭ６を用いて更新情報の送付元アドレスを入力し、確定操作を行う。これにより、送付元アドレスが登録され、自動バッファリング機能の設定が完了する。
【００７９】
なお、所定の動画配信サイトの電子メールアドレスが予めデフォルトのアドレスとしてメモリ部２００に記憶され、電子メールアドレスの入力画面では、最初にデフォルトのアドレスが表示されるようにしてもよい。また、予め複数の電子メールアドレスがメモリ部２００に登録され、電子メールアドレスの入力画面において、それらの中から所望の電子メールアドレスが読み出せるようにしてもよい。
【００８０】
図６は、新規な動画をバッファリングするための制御動作を示す処理フローである。
【００８１】
ユーザは、予め、所望の動画配信サイトにおいて、ユーザ登録を行うとともに好みのカテゴリーを登録しておく。たとえば、その動画配信サイトに同様なカテゴリーの動画を提供するチャンネルが複数用意されている場合、ユーザは好みのチャンネルを登録しておく。これにより、登録したチャンネルに新規な動画が追加されると、更新情報が、電子メールにより、動画配信サイトから携帯電話機に送信される。更新情報には、新規な動画を再生するためのウェブページを示すＵＬＲ（Uniform Resource Locator）が、たとえば、添付ファイルにより含まれている。
【００８２】
自動バッファリング機能が設定されている場合、ＣＰＵ１００は、動画配信サイトから更新情報を受信したか否かを判定する（Ｓ１０１）。この判定において、ＣＰＵ１００は、電子メールの送信元アドレスが、上記自動バッファリング機能の設定時に登録したアドレスと一致するかを判定し、一致すれば、受信した電子メールを解析する。そして、ＣＰＵ１００は、電子メールの解析により、動画配信サイト側の格納場所を示すＵＲＬが取得できれば、更新情報を受信したと判定する。
【００８３】
ＣＰＵ１００は、上記のようにして更新情報（たとえば、ＲＳＳフィードの更新に基づいて送信されたもの）を受信したと判定すると（Ｓ１０１：ＹＥＳ）、動画メモリ２０１に、新規な動画の動画データをバッファリングするのに充分な空き容量があるか否かを判定する（Ｓ１０２）。ＣＰＵ１００は、動画メモリ２０１に空き容量があると判定すると（Ｓ１０２：ＹＥＳ）、Ｓ１０１で取得したＵＲＬに接続する（Ｓ１０３）。これにより、動画配信サイト側の配信サーバから、動画データと、再生された動画を組み込んで動画再生画面（ウェブページ）を構築するための関連データ（ＨＴＭＬデータ、画像データ等）が携帯電話機に送信される。
【００８４】
送信された関連データをもとに動画データを再生すると、図７（ｄ）に示すような画面が得られる。動画は、領域Ａ１に表示される。領域Ａ２には、この動画に関連する他の動画のサムネイルが表示される。ＣＰＵ１００は、かかる画面の表示を行わずに、受信した動画データと関連データを、ＵＲＬに対応付けて、順次、メモリ部２００にバッファリングする。
【００８５】
なお、関連データは、図７（ｄ）に示す画面のうち、領域Ａ１以外の画像を表示するためのデータである。関連データには、同図（ｄ）の画像フレームを構成するためのＨＴＭＬデータの他、領域Ａ１に表示されるサムネイル画像のための画像データと、これらサムネイル画像に対応する動画データを再生するためのＵＲＬが含まれる。
【００８６】
ＣＰＵ１００は、受信したデータのうち、配信された動画データを、図７（ａ）に示すように、ＵＲＬに対応付けて、順次、動画メモリ２０１にバッファリングする（Ｓ１０４）。また、ＣＰＵ１００は、受信した関連データを、図７（ｂ）に示すように、ＵＲＬに対応づけてメモリ部２００の所定のメモリ領域にバッファリングする（Ｓ１０４）。
【００８７】
ＣＰＵ１００は、ステップＳ１０１で受信した更新情報に新規な動画のＵＲＬが複数件あれば、全件について、ステップＳ１０２からＳ１０４の処理を行い、それぞれのＵＲＬから動画データおよび関連データのバッファリングを行う。そして、全件のバッファリングが完了すると（Ｓ１０５：ＹＥＳ）、バッファリングが完了した旨の報知を行う（Ｓ１０６）。即ち、図４に示すように、第１ディスプレイ１１にバッファリング完了マークＭ４を表示させる。これにより、ユーザは、登録したチャンネルに新規な動画が追加され、その動画のバッファリングが完了したことを知ることができる。
【００８８】
なお、ステップＳ１０２で、動画メモリ２０１に十分な空き容量がないと判定されると（Ｓ１０２：ＮＯ）、ＣＰＵ１００は、動画メモリ２０１に再生済みの動画データがあるか否を判定する（Ｓ１０７）。そして、再生済みの動画データがあれば（Ｓ１０７：ＹＥＳ）、最も古い再生済みの動画データを消去する（Ｓ１０８）。なお、動画メモリ２０１には、ステップＳ１０７、Ｓ１０８の判定に用いるため、図７（ａ）に示すように、対応する動画が再生されるとセットされるフラグと、動画配信サイトから動画データを取得した取得日が記憶される。
【００８９】
一方、動画メモリ２０１に再生済みの動画データがなければ（Ｓ１０７：ＮＯ）、ＣＰＵ１００は、最も古い未再生の動画データを消去する（Ｓ１０９）。また、その動画のＨＴＭＬデータから動画のタイトルを抽出する。そして、消去した動画について、ユーザがその動画を識別できるような情報を、新規な動画の履歴データとして、図７（ｃ）に示すように、ＵＲＬに対応付けて、メモリ部２００内の所定のメモリ領域にバッファリングする（Ｓ１１０）。たとえば、ＣＰＵ１００は、動画を消去する際に動画データからサムネイルを作成する。また、その動画のＨＴＭＬデータから動画のタイトルを抽出する。そして、これらサムネイルやタイトルを、履歴情報として、メモリ部２００にバッファリングする。
【００９０】
なお、上記の構成では、動画メモリ２０１に再生済みの動画データがなければ、未再生の動画データを消去するようにしているが、これに変えて、再生済みの動画データがなければ、その後のバッファリングを中止するようにしてもよい。この場合、残りの動画データは、次回の新規な動画のバッファリングの際に行うようにしてもよい。
【００９１】
さて、新規な動画がバッファリングされると、これら動画の再生操作を行うための操作画面が表示される。
【００９２】
図８は、バッファリングされた新規な動画を再生するための制御動作を示す処理フローである。図８（ａ）は、操作画面を表示するための制御動作を示す処理フローであり、図８（ｂ）は、動画を再生するための制御動作を示す処理フローである。また、図９は、操作画面を表示するための制御動作に基づく第１ディスプレイ１１および第２ディスプレイ２１の画面表示例を示す図である。さらに、図１０は、動画を再生するための制御動作に基づく第１ディスプレイ１１および第２ディスプレイ２１の画面表示例を示す図である。
【００９３】
図４に示す初期画面に、ユーザ登録された動画配信サイトへ直接接続されるアイコンＭ１がある場合には、ユーザが、そのアイコンＭ１を操作すると、その動画配信サイトへ接続される。これにより、図８（ａ）の制御処理が開始される。
【００９４】
まず、ＣＰＵ１００は、第２キャビネット２が閉じた状態であるか否を判定し（Ｓ２０１）、閉じていれば（Ｓ２０１：ＹＥＳ）、ウェブブラウザとして機能し、第１ディスプレイ１１に動画配信サイトのトップページを表示させる（Ｓ１０２：図９（ａ）参照）。このとき、ＣＰＵ１００は、接続先の動画配信サイトのＵＲＬと動画メモリ２０１に記録されているＵＲＬ（図７（ａ）参照）とを比較し、接続先の動画配信サイトに対応する動画が動画メモリ２０１にバッファリングされているかを判定する。ここで、動画がバッファリングされていれば、図９（ａ）に示すように、バッファリング完了マークＭ４を重ねて表示する。
【００９５】
次に、ＣＰＵ１００は、第２キャビネット２が開かれたか否かを判定する（Ｓ２０３）。ユーザは、バッファリング完了マークＭ４により、新規な動画がバッファリングされたことを知ると、第２キャビネット２を開く。
【００９６】
ＣＰＵ１００は、第２キャビネット２が開かれたと判定すると（Ｓ２０３）、第２ディスプレイ２１に新規な動画の操作画面を表示させる（Ｓ２０４：図９（ｂ）参照）。即ち、ＣＰＵ１００は、接続先の動画配信サイトのＵＲＬと動画メモリ２０１に記録されているＵＲＬ（図７（ａ）参照）とを比較し、接続先の動画配信サイトに対応する動画が動画メモリ２０１にバッファリングされているかを判定する。そして、バッファリングされていれば、動画メモリ２０１の動画データ（たとえば、動画Ｅ、動画Ｆ、動画Ｇ）からサムネイルを作成するとともに、その動画データのタイトルや他の情報（再生回数、評価等）を、その動画データに対応するＨＴＭＬデータから抽出する。そして、新規な動画の一覧を表示する画面領域に、それぞれの動画のサムネイルを表示する。また、サムネイルの下方には、その動画に係るタイトル等の情報を表示し、サムネイルの上方には、バッファリング完了を示す「Ｂｕｆｆｅｒｅｄ」の文字を表示する。さらに、ＣＰＵ１００は、メモリ部２００に、データ消去した未再生の動画の履歴データ（たとえば、動画Ｈ、動画Ｉ、動画Ｊ）があれば、履歴の一覧を表示する画面領域に、その動画のサムネイルとタイトルを表示する。
【００９７】
なお、動画配信サイトに接続されたときに、既に第２キャビネット２が開いていれば（Ｓ２０１：ＮＯ）、ＣＰＵ１００は、第１ディスプレイ１１に動画配信サイトのトップページを表示させるとともに（Ｓ２０５）、第２ディスプレイ２１に、図９（ｂ）に示す新規な動画の操作画面を表示させる（Ｓ２０６）。
【００９８】
また、ユーザが第２キャビネットを開いたときに、たまたま、新規な動画がバッファリング中であることもあり得る。この場合は、図９（ｂ）の破線矢印に示すように、サムネイルがバッファリング中であることを示す表示形態となり、サムネイルの上の文字が「Ｂｕｆｆｅｒｉｎｇ」となる。
【００９９】
さらに、新規な動画の一覧や履歴の一覧が、一画面で表示できない場合には、第２ディスプレイ２１を上下になぞる等のスクロール操作を行うことで、画面を上下にスクロールすることができる。第１ディスプレイ１１についても、同様にスクロールすることができる。
【０１００】
操作画面が開かれると、ユーザは、操作画面上で、所望の動画の再生操作を行うことができる。たとえば、再生操作として、ユーザは、再生したい動画のサムネイルを連続して２回タッチする。あるいは、再生したい動画のサムネイルを第１ディスプレイ１１側にドラッグする。
【０１０１】
図８（ｂ）を参照して、ＣＰＵ１００は、上記のような動画の再生操作がなされたか否かを判定する（Ｓ３０１）。たとえば、図１０（ａ）に表示された新規な動画Ｅが再生操作されると（Ｓ３０１：ＹＥＳ）、動画Ｅはバッファリングされているため（Ｓ３０２：ＹＥＳ）、ＣＰＵ１００は、動画メモリから動画Ｅの動画データを読み出すとともに、動画Ｅに対応する関連データ（図７（ｂ）参照）をメモリ部２００から読み出す（Ｓ３０３）。そして、関連データ中のＨＴＭＬデータに従って、第１ディスプレイ１１に、動画Ｅを再生するための動画再生画面を構築する。さらに、ＣＰＵ１００は、ＨＴＭＬデータに従って、動画再生画面上の所定位置にビデオ画面を立ち上げ、ビデオ画面上に動画Ｅを再生する（Ｓ３０４）。
【０１０２】
図１０（ｂ）は、第１ディスプレイ１１に表示された動画再生画面により動画Ｅが再生されている状態が示されている。ここでは、関連データに基づき、動画Ｅに関連する動画（たとえば、動画Ｋ、動画Ｌ、動画Ｍ）のサムネイルやタイトルが、ビデオ画面の隣りに一覧表示されている。
【０１０３】
こうして動画Ｅが再生されている状態で、ユーザは、さらに第２ディスクプレイ２１の操作画面を操作して、他の動画の再生に切り替えることもできる。このとき、ユーザは、第２ディスプレイ２１の操作画面において、履歴の一覧から動画を再生することもできる。この場合、図８（ｂ）のステップＳ３０１にてＹＥＳと判定され、ステップＳ３０２以降の処理が行われる。
【０１０４】
ユーザによって、履歴の一覧のサムネイルが再生操作されると、その動画についてはバッファリングされていないので（Ｓ３０２：ＮＯ）、ＣＰＵ１００は、その動画のＵＲＬに接続する。これにより、動画配信サイト側の配信サーバから動画データおよび関連データが配信される（Ｓ３０５）。このとき、動画データは、メモリ部２００にあるバッファメモリ（図示せず）に順次バッファリングされるとともに、バッファメモリから順次読み出されて再生される。よって、これら履歴に残された動画は、再生操作がなされた後、一定量の動画データがバッファメモリにバッファリングされて始めて再生が開始される。このため、動画メモリ２０１に予めバッファリングされた動画に場合に比べて、再生が開始されるまでに時間がかかることとなる。
【０１０５】
さて、図１０（ｂ）に示すように、第１ディスプレイ１１において、ビデオ画面の隣りに関連する動画のサムネイルが表示されている場合、ユーザは、これらの動画を見たくなる場合がある。この場合、これら動画をそのまま再生すれば、動画データが動画配信サイトから配信されつつ再生されるため、再生開始に時間がかかる惧れがある。
【０１０６】
そこで、本実施の形態では、操作画面が開かれた状態で、バッファリングされていない動画を新たに動画メモリ２０１にバッファリングできる追加バッファリング機能を備えている。見たい動画を他の動画の再生中に動画メモリ２０１にバッファリングしておけば、再生終了後に、その動画をすぐに再生することができる。
【０１０７】
図１１は、追加バッファリングを行うための制御動作を示す処理フローである。また、図１２は、追加バッファリングを行うための制御動作に基づく第１ディスプレイ１１および第２ディスプレイ２１の画面表示例を示す図である。
【０１０８】
図１１を参照して、ＣＰＵ１００は、バッファリングされていない動画のサムネイルに対し、バッファリングのための操作がなされたか否かを判定する（Ｓ４０１）。ＣＰＵ１００は、たとえば、図１２（ａ）に示すように、第１ディスプレイに表示された動画Ｌのサムネイルが、第２ディスプレイ２１における新規な動画の一覧画面領域内にドラッグされると、バッファリング操作がなされたと判定する（Ｓ４０１：ＹＥＳ）。
【０１０９】
バッファリング操作がなされると、ＣＰＵ１００は、動画メモリ２００に十分な空き容量があるかを判定し（Ｓ４０２）、空き容量があれば（Ｓ４０２：ＹＥＳ）、そのＵＲＬに接続して動画データおよび関連データを取得する（Ｓ４０３）。そして、取得した動画データを、ＵＲＬに対応付けて動画メモリ２０１にバッファリングする（Ｓ４０４：図７（ａ）参照）。また、ＣＰＵ１００は、取得した関連データを、ＵＲＬに対応づけてメモリ部２００の所定のメモリ領域にバッファリングする（Ｓ４０４：図７（ｂ）参照）。
【０１１０】
ＣＰＵ１００は、バッファリングが完了すると、図１２（ｂ）に示すように、第２ディスプレイ２１において、バッファリングされた動画Ｌに係るサムネイル、タイトル等の情報および「Ｂｕｆｆｅｒｅｄ」の文字を、新規な動画の一覧画面領域内に追加する（Ｓ４０５）。
【０１１１】
一方、動画メモリ２００に十分な空き容量がないと判定した場合（Ｓ４０２：ＮＯ）、ＣＰＵ１００は、動画メモリ２０１に再生済みの動画データがあれば、（Ｓ４０６：ＹＥＳ）、最も古い再生済みの動画データを消去する（Ｓ４０７）。動画メモリ２０１に再生済みの動画データがなければ（Ｓ４０６：ＮＯ）、ＣＰＵ１００は、バッファリングが行えない旨の報知を行う（Ｓ４０８）。たとえば、外部スピーカ３０９からビープ音を出力したり、どちらかのディスプレイ１１、２１にバッファリングできないことを示す表示を行ったりする。この場合、ユーザは、新たな動画のバッファリングをあきらめるか、未再生の動画を再生したり消去したりした後に、再度、バッファリング操作を行えばよい。
【０１１２】
こうして、新たにバッファされた動画Ｌの再生操作が行われると、図８のステップＳ３０１からＳ３０４の制御処理が行われ、動画Ｌが第１ディスプレイ１１において再生される。
【０１１３】
なお、履歴の一覧画面領域内にある動画のサムネイルが新規な動画の一覧画面領域内にドラッグ操作されても、図１１の制御処理が行なわれ、ドラッグされた動画が配信されて動画メモリ２０１にバッファリングされる。
【０１１４】
以上、本実施の形態によれば、ユーザがウェブサイト上で動画を視聴したいときに取得処理をしなくても、予め登録されたグループに属する動画の中から新規な動画が予め取得され、動画メモリ２０１に記憶される。この場合、ユーザが、その動画の再生操作を行うと、その動画が動画メモリ２０１から読み出され、すぐに再生される。したがって、ユーザは、好みのグループを登録しておくことで、そのグループ属する新規な動画をすぐに視聴することができ、ユーザのストレスを軽減することができる。
【０１１５】
また、上記実施の形態によれば、図１０（ａ）に示すように、第１ディスプレイ１１に動画配信サイトのトップページが表示され、第２ディスプレイ２１に、その動画配信サイトに係る配信サーバから取得した動画の操作画面が表示されるので、トップページの他の動画のサムネイルを閲覧しつつバッファリングした動画の再生操作を行うことができる。
【０１１６】
さらに、本実施の形態によれば、第２ディスプレイ２１の操作画面で新規な動画の再生操作がなされると、その動画が第１ディスプレイ１１で再生される。即ち、第１ディスプレイ２１に操作画面を残したままで動画の再生ができるので、次の再生操作を円滑に行うことができる。
【０１１７】
さらに、本実施の形態によれば、記憶容量が不足することにより、未再生の動画が動画メモリ２０１から消去されても、消去された動画の履歴が第２ディスプレイ２１に表示される。よって、ユーザは、履歴を見ることで、未再生の動画コンテンツを把握することができる。
【０１１８】
さらに、本実施の形態によれば、バッファリングされていない動画に対して追加バッファリング操作を行うことにより、その動画の動画データを動画配信サイト側から取得し、動画メモリ２０１にバッファリングすることができる。よって、他の動画が再生されている間に、所望の動画をバッファリングしておけば、その動画を視聴するときには、すぐに再生が可能となる。
【０１１９】
＜変更例＞
上記実施の形態では、動画配信サイトから更新情報が送信されると、更新情報に含まれるＵＲＬに基づいて、新規な動画の動画データが取得される構成とされている。
【０１２０】
しかしながら、本変更例のように、携帯端末装置から適宜のタイミングで、動画配信サイトにアクセスして新規な動画を抽出し、その画像データを取得するような構成とすることもできる。
【０１２１】
図１３は、変更例に係る自動バッファリング機能を設定するための設定画面を示す図である。
【０１２２】
本変更例においても、ユーザは、まず、図５（ａ）の設定画面において、自動バッファリングを行うか否かの選択を行う。本変更例では、図５（ａ）の設定画面からユーザが「する」の項目を選択し、設定キーＭ５を押すと、第１ディスプレイ１１に、図１３（ａ）に示すような、バッファリングの時期を選択する画面が表示される。この画面では、バッファリング時期として、ユーザは、たとえば、「充電時」、「夜間」、「ユーザ設定」の項目から一つを選択することができる。これらの項目の横には、図５（ａ）と同様なチェックボックスが表示されている。「充電時」の項目が選択された場合には、携帯電話機の充電が開始されるとバッファリングが行われる。「夜間」の項目が選択された場合には、午前０時にバッファリングが行われる。「ユーザ設定」の項目が選択され、第２ディスプレイ２１に表示されたＱＷＥＲＴＹキーＭ６により時刻が入力されると、入力された時刻にバッファリングが行われる。
【０１２３】
図１３（ａ）の画面からユーザがバッファリング時期を選択して設定キーＭ５を押すと、第１ディスプレイ１１に、同図（ｂ）に示すような、好みのカテゴリーを設定するための画面が表示される。たとえば、動画配信サイトは、各々に同様なカテゴリーの動画が配信可能な複数のチャンネルから構成されており、携帯電話機側からチャンネル別にアクセスすることにより、チャンネルごとに動画の更新情報（たとえば、ＲＳＳフィード）が提供されるようになっている。ユーザは好みのチャンネルの動画を取得するめ、そのチャンネルの更新情報があるＵＲＬを、カテゴリーの入力欄に入力する。
【０１２４】
図１３（ｂ）の画面において、ユーザが、カテゴリーの入力欄にＵＲＬを入力し、設定キーＭ５を押すと、設定が完了する。このようにして、自動バッファリン機能が設定されるとともに、バッファリングの時期と新規な動画をバッファリングするカテゴリー（カテゴリーの更新情報が得られるＵＲＬ）がメモリ部２００に登録される。
【０１２５】
図１４は、変更例に係る新規な動画をバッファリングするための制御動作を示す処理フローである。
【０１２６】
図１４を参照して、ＣＰＵ１００は、バッファリングの時期になったか否かを判定する（Ｓ１２１）。たとえば、バッファリングの時期が、「充電時」に設定されていた場合、携帯電話機の充電が開始されると、ＣＰＵ１００は、バッファリングの時期になったと判定する。
【０１２７】
ＣＰＵ１００は、バッファリングの時期になったと判定すると（Ｓ１２１：ＹＥＳ）、登録されたカテゴリーの更新情報があるＵＲＬに接続することにより、登録されたカテゴリーの更新情報を取得する（Ｓ１２２）。更新情報には、そのカテゴリーの中の新規な動画を再生するウェブページを示すＵＲＬが含まれている。
【０１２８】
ＣＰＵ１００は、動画メモリ２０１に空き容量があると判定すると（Ｓ１０２：ＹＥＳ）、Ｓ１２２で取得したＵＲＬに接続し（Ｓ１０３）、上記実施の形態と同様に、動画配信サイト側の配信サーバから配信された動画データおよび関連データを動画メモリ２０１にバッファリングする（Ｓ１０４）。
【０１２９】
なお、ＣＰＵ１００は、動画メモリ２００に十分な空き容量がなければ（Ｓ１０２：ＮＯ）、上記実施の形態と同様、再生済みの動画データや未再生の動画データが削除して（Ｓ１０７〜Ｓ１１０）、ステップＳ１０２以降のバッファリング処理を行う。
【０１３０】
本変更例の構成とすれば、動画配信サイトに更新情報を送信する機能がなくても、ユーザの好みのカテゴリーに属する新規な動画をバッファリングしておくことが可能となる。
【０１３１】
＜その他＞
上記実施の形態および変更例に示す形態以外にも、さらに種々変更が可能である。
【０１３２】
たとえば、上記実施の形態では、動画配信サイトに接続され、第２のキャビネット２が開いた状態になると、第２ディスプレイ２１に操作画面が表示される。しかしながら、これだけに限らず、操作画面を起動するためのアイコンＭ１が初期画面に表示されるようにし、このアイコンＭ１が操作されると、図９（ｂ）の第２ディスプレイ２１に表示される操作画面と同様な画面が、第１ディスプレイ１１に表示されるようにしてもよい。そして、その操作画面上で、所定の動画の再生操作がされると、図１０（ｂ）の第１ディスプレイ１１に表示される動画再生画面と同様な画面が、第１ディスプレイ１１に表示されるようにしてもよい。
【０１３３】
また、上記実施の形態では、ユーザ登録された動画配信サイトへ直接接続されるアイコンＭ１を操作すると、その動画配信サイトへ接続される。しかしながら、これに限らず、インターネットに接続するアイコンＭ１が操作されたときに、バッファリング完了マークＭ４が表示されていれば、ユーザ登録された動画配信サイトへ接続され、それ以外の時には、初期接続先のウェブサイトへ接続されるようにしてもよい。この場合、バッファリング完了マークＭ４は、バッファリング完了後、ユーザ登録された動画配信サイトへ一度接続されると、消去されるようにしておく。
【０１３４】
さらに、上記実施の形態では、動画配信サイトから送信された電子メールによる更新情報に新規な動画を再生するためのウェブページを示すＵＬＲが含まれていたが、電子メールによる更新情報には、このようなＵＲＬが含まれておらず、電子メールによる更新情報を受け取ると、ＣＰＵ１００が、上記変更例と同様に、新規な動画を再生するためのウェブページを示すＵＬＲが含まれた更新情報を、動画配信サイト側に取得しに行くようにしてもよい。
【０１３５】
また、上記実施の形態では、一つの新規な動画（動画データ）について、全ての動画データが取得され、動画メモリ２０１にバッファリングされるような構成とされている。しかしながら、動画メモリ２０１に動画データの一部がバッファリングされていても、その一部の動画データの再生時に残りの動画データが配信され、一部の動画データの再生に続いて配信された動画データが再生できる場合には、全ての動画データでなく、一部の動画データが動画メモリ２０１にバッファリングされる構成とされてもよい。このような構成とすれば、一つの動画に要する動画メモリ２０１の記憶容量が少なくなるので、動画メモリ２０１に多くの動画をバッファリングすることが可能となる。
【０１３６】
さらに、本発明の携帯端末装置は、携帯電話機に限られず、ＰＤＡ（Personal Digital Assistant）等であってもよい。
【０１３７】
この他、本発明の実施の形態は、特許請求の範囲に示された技術的思想の範囲内において、適宜、種々の変更が可能である。
【符号の説明】
【０１３８】
１１  第１ディスプレイ（表示部、第１の表示部）
１４  磁石（切替部）
１６  突起部（切替部）
１７  突起部（切替部）
２１  第２ディスプレイ（表示部、第２の表示部）
２３  磁石（切替部）
２６  軸部（切替部）
２７  軸部（切替部）
３４  コイルバネ（切替部）
３９  案内溝（切替部）
１００  ＣＰＵ（取得部、表示制御部、受付処理部）
２００  メモリ（登録部）
２０１  動画メモリ
【図１】
0005466935.tif 000002
【図２】
0005466935.tif 000003
【図３】
0005466935.tif 000004
【図４】
0005466935.tif 000005
【図５】
0005466935.tif 000006
【図６】
0005466935.tif 000007
【図７】
0005466935.tif 000008
【図８】
0005466935.tif 000009
【図９】
0005466935.tif 000010
【図１０】
0005466935.tif 000011
【図１１】
0005466935.tif 000012
【図１２】
0005466935.tif 000013
【図１３】
0005466935.tif 000014
【図１４】
0005466935.tif 000015